(57)【要約】【課題】遅延消灯効果を具えた照明装置の提供。【解決手段】遅延消灯効果を具えた照明装置は、パワー切換え器、第１発光ダイオードランプ直列装置及び第２発光ダイオードランプ直列回路を包含する。該パワー切換え器は該第１発光ダイオードランプ直列装置及び該第２発光ダイオードランプ直列回路にそれぞれ電気的に接続され、該第２発光ダイオードランプ直列回路は充放電ユニットと該第１発光ダイオードランプ直列装置とは異なる光色を有する第２発光ダイオードランプ直列装置を包含し、これにより該照明装置が、該パワー切換え器により該第１発光ダイオードランプ直列装置に給電する第１照明状態と、該充放電ユニットにより該第２発光ダイオードランプ直列装置に給電する第２照明状態を有する。これにより、本発明は該第１照明状態から該第２照明状態に転じる遅延消灯効果を有し、空間輪郭照明を補助する。【選択図】図１Ａ
2013187188.tif 000002
【特許請求の範囲】
【請求項１】
遅延消灯効果を具えた照明装置において、
パワー切換え器（１０）、
該パワー切換え器（１０）に電気的に接続された第１発光ダイオードランプ直列装置（２０）、
該パワー切換え器（１０）に電気的に接続された第２発光ダイオードランプ直列回路（３０）であって、該パワー切換え器（１０）に電気的に接続された充放電ユニット（３１）及び該充放電ユニット（３１）に電気的に接続された第２発光ダイオードランプ直列装置（３２）を包含し、該第２発光ダイオードランプ直列装置（３２）は該第１発光ダイオードランプ直列装置（２０）とは異なる光色を有する上記第２発光ダイオードランプ直列回路（３０）を包含し、
そのうち該照明装置は、該パワー切換え器（１０）によりそれぞれ該充放電ユニット（３１）に対して充電すると共に、該第１発光ダイオードランプ直列装置（２０）に対して給電する第１照明状態と、該パワー切換え器（１０）が給電停止して該充放電ユニット（３１）が該第２発光ダイオードランプ直列装置（３２）に対して給電する第２照明状態とを有し、且つ該第２照明状態は該第１照明状態とは異なる光色を発生することを特徴とする、遅延消灯効果を具えた照明装置。
【請求項２】
請求項１記載の遅延消灯効果を具えた照明装置において、該第２発光ダイオードランプ直列回路（３０）は、該充放電ユニット（３１）に電気的に接続された電圧安定化ユニット（３３）をさらに包含したことを特徴とする、遅延消灯効果を具えた照明装置。
【請求項３】
請求項２記載の遅延消灯効果を具えた照明装置において、該第２発光ダイオードランプ直列回路（３０）は、該パワー切換え器（１０）に電気的に接続された分圧ユニット（３４）をさらに包含し、該分圧ユニット（３４）は該電圧安定化ユニット（３３）に電気的に接続されたことを特徴とする、遅延消灯効果を具えた照明装置。
【請求項４】
請求項１記載の遅延消灯効果を具えた照明装置において、該第２発光ダイオードランプ直列回路（３０）は、変圧ユニット（３５）をさらに包含し、該充放電ユニット（３１）は該変圧ユニット（３５）を介して該パワー切換え器（１０）に電気的に接続されたことを特徴とする、遅延消灯効果を具えた照明装置。
【請求項５】
請求項１記載の遅延消灯効果を具えた照明装置において、該パワー切換え器（１０）に電気的に接続された直流電力供給ユニット（４０）をさらに包含し、該直流電力供給ユニット（４０）は該第２発光ダイオードランプ直列回路（３０）と並列接続されることを特徴とする、遅延消灯効果を具えた照明装置。
【請求項６】
請求項１記載の遅延消灯効果を具えた照明装置において、該第２発光ダイオードランプ直列装置（３２）は該第１発光ダイオードランプ直列装置（２０）とは異なる光強度を有し、該第２照明状態は該第１照明状態とは異なる光強度を発生することを特徴とする、遅延消灯効果を具えた照明装置。
【発明の詳細な説明】
【技術分野】
【０００１】
本発明は一種の照明装置に係り、特に一種の遅延消灯効果を具えた照明装置に関する。
【背景技術】
【０００２】
近年、半導体科学技術の勃興発展に伴い、発光ダイオード（Ｌｉｇｈｔ  Ｅｍｉｔｔｉｎｇ  Ｄｉｏｄｅ，ＬＥＤ）の製造技術は日増しに成熟し、現在、発光ダイオードはすでに照明光源としての使用に足るものとなり、発光ダイオードはその具備する節電で、体積が小さく、使用寿命が長く、安定性が高く、残光性が低く、点灯応答性が高い等の特性により、現在、蛍光灯にとって代わるに十分な発光ダイオード発光モジュールが発展しており、市場にますます歓迎されており、ひいては伝統的なバルブ或いは灯管に取って代わる趨勢である。
【０００３】
たとえば、特許文献１は、一種のＬＥＤ照明装置を提供しており、それは、上蓋、底蓋及び側蓋の結合により、照明に影響を与えない前提の下で、ＬＥＤ発光モジュールの防護性を高める技術特徴を有し、これにより伝統的なバルブ或いは灯管に取って代わるものとされる。
【０００４】
しかし、発光ダイオードは特性上、残光性が低いため、一旦照明装置に応用されると、消灯された後、瞬間的に環境を照らす光線が完全に無くなり、環境が暗くなりすぎ、人の目は短時間内に環境を認識できないため、このような時に活動すると、非常に容易に事故を発生しやすい。このため、安全上の心配と使用上の不便があり、改善の必要がある。
【先行技術文献】
【特許文献】
【０００５】
【特許文献１】台湾特許公告第Ｍ３８０４２５号明細書
【発明の概要】
【発明が解決しようとする課題】
【０００６】
本発明の主要な目的は、周知の発光ダイオード照明装置が、スイッチオフ後に有効な残光を提供できないため、環境が暗くなり過ぎ、人の目が環境を認識できず、容易に事故を発生し、使用上の不便と安全上の心配を形成する問題を解決することにある。
【課題を解決するための手段】
【０００７】
上述の目的を達成するため、本発明は一種の遅延消灯効果を具えた照明装置を提供し、それはパワー切換え器、第１発光ダイオードランプ直列装置及び第２発光ダイオードランプ直列回路を包含する。該パワー切換え器は該第１発光ダイオードランプ直列装置に電気的に接続され、該第２発光ダイオードランプ直列回路は該パワー切換え器に電気的に接続されると共に、該パワー切換え器に電気的に接続された充放電ユニットと該充放電ユニットに電気的に接続された第２発光ダイオードランプ直列装置を包含し、該第２発光ダイオードランプ直列装置は該第１発光ダイオードランプ直列装置とは異なる光色を有する。
【０００８】
該照明装置は、該パワー切換え器により該第１発光ダイオードランプ直列装置に給電する第１照明状態と、該パワー切換え器が給電停止して該充放電ユニットが該第２発光ダイオードランプ直列装置に給電する第２照明状態を有し、且つ該第２照明状態は該第１照明状態とは異なる光色を発生する。
【発明の効果】
【０００９】
上述の技術手段により、本発明は以下のような長所を有している。
１．パワー切換え器が給電状態から給電停止状態に切り換えられる時、本発明は該第１照明状態から該第２照明状態に転じ、該第２発光ダイオードランプ直列装置が数秒間から数時間の光を提供し、遅延消灯効果を発生し、空間輪郭を照明し、使用者が正確な方向を識別し、もとの空間を離れるのに便利である。
２．本発明の該第２照明状態は該第１照明状態とは異なる光色を発生し、使用者が容易に該第１照明状態から該第２照明状態への変換を認識でき、該パワー切換え器がオフされた後に、安心してもとの空間を離れることができる。
【図面の簡単な説明】
【００１０】
【図１Ａ】本発明の第１実施例の構造配置表示図である。
【図１Ｂ】本発明の第１実施例の回路表示図である。
【図２Ａ】本発明の第２実施例の構造配置表示図である。
【図２Ｂ】本発明の第２実施例の回路表示図一である。
【図２Ｃ】本発明の第２実施例の回路表示図二である。
【図２Ｄ】本発明の第２実施例の回路表示図三である。
【図３Ａ】本発明の第３実施例の構造配置表示図である。
【図３Ｂ】本発明の第３実施例の回路表示図一である。
【図３Ｃ】本発明の第３実施例の回路表示図二である。
【図３Ｄ】本発明の第３実施例の回路表示図三である。
【図４】本発明の第４実施例の構造配置表示図である。
【図５】本発明の第５実施例の構造配置表示図である。
【発明を実施するための形態】
【００１１】
本発明の技術内容、構造特徴、達成する目的を詳細に説明するため、以下に実施例を挙げ並びに図面を組み合わせて説明する。
【００１２】
図１Ａ及び図１Ｂを参照されたい。図１Ａは本発明の第１実施例の構造配置表示図であり、図１Ｂは本発明の第１実施例の回路表示図である。この実施例中、本発明は一種の遅延消灯効果を具えた照明装置を提供し、それは、パワー切換え器（１０）、第１発光ダイオードランプ直列装置（２０）及び第２発光ダイオードランプ直列回路（３０）を包含する。
【００１３】
該パワー切換え器（１０）は該第１発光ダイオードランプ直列装置（２０）に電気的に接続され、並びに各種の異なる構造の切換え式パワー変換器を採用可能である。該第１発光ダイオードランプ直列装置（２０）は複数の発光ダイオードが直列接続されてなる。
【００１４】
該第２発光ダイオードランプ直列回路（３０）は該パワー切換え器（１０）に電気的に接続され、この実施例では、該パワー切換え器（１０）、該第１発光ダイオードランプ直列装置（２０）及び該第２発光ダイオードランプ直列回路（３０）は共同接点を形成する。該第２発光ダイオードランプ直列回路（３０）は該パワー切換え器（１０）と電気的に接続された充放電ユニット（３１）と該充放電ユニット（３１）に電気的に接続された第２発光ダイオードランプ直列装置（３２）を包含する。該第２発光ダイオードランプ直列装置（３２）は複数の発光ダイオードが直列接続されてなり、並びに該第１発光ダイオードランプ直列装置（２０）とは異なる光色及び光強度を有する。さらに説明をしておくべきこととして、ここで異なる光色と光強度とは、使用者が肉眼で該第１発光ダイオードランプ直列装置（２０）と該第２発光ダイオードランプ直列装置（３２）の発射する光線が異なることを識別できることを指す。
【００１５】
この実施例では、該充放電ユニット（３１）は、第１ダイオード（３１１）、第１コンデンサ（３１２）、第１ツェナダイオード（３１３）、及び第１抵抗器（３１４）を包含する。該第１ダイオード（３１１）のアノードは該パワー切換え器（１０）に接続され、該第１コンデンサ（３１２）と該第１ダイオード（３１１）のカソードが接続され、該第１ツェナダイオード（３１３）と該第１ダイオード（３１１）のカソードが接続され、該第１抵抗器（３１４）の一端は該第１ダイオード（３１１）のカソードに接続され、他端は該第２発光ダイオードランプ直列装置（３２）に接続される。
【００１６】
こうして、商用電源が導通した後、該照明装置はパワー切換え器の駆動により該第１発光ダイオードランプ直列装置（２０）が点灯する。この実施例では、該第１発光ダイオードランプ直列装置（２０）は白色光を発生し、並びに該白色光は該照明装置の主照明の輝度を発生し、並びに該第１発光ダイオードランプ直列装置（２０）の直流電圧は該第１ダイオード（３１１）を経由し、極めて短時間内に該第１コンデンサ（３１２）に対して充電し、該第１コンデンサ（３１２）は該第１ツェナダイオード（３１３）に並列接続される目的は、該第１コンデンサ（３１２）の電圧値を固定し、毎回の放電時間を固定することにあり、これが該照明装置の第１照明状態とされる。
【００１７】
使用者が商用電源を切断すると、該第１発光ダイオードランプ直列装置（２０）は消灯し、この時、該第１コンデンサ（３１２）は該第１抵抗器（３１４）と該第２発光ダイオードランプ直列装置（３２）に対して放電し、該第２発光ダイオードランプ直列装置（３２）を点灯させ、該第２発光ダイオードランプ直列装置（３２）に該第１発光ダイオードランプ直列装置（２０）とは異なる光色と光強度を発生させる。この実施例では、該第２発光ダイオードランプ直列装置（３２）は、該第１発光ダイオードランプ直列装置（２０）の白色光とは異なる青緑色光を発生するが、これに限定されるわけではない。該第２発光ダイオードランプ直列装置（３２）の発光は、該第１コンデンサ（３１２）の放電が終了するまで、数秒から数時間内維持され、これが該照明装置の第２照明状態とされる。
【００１８】
説明を補充しておくべきこととして、該第１抵抗器（３１４）の直列接続の目的は、限流抵抗として、放電時間はすなわち、該第１コンデンサ（３１２）と該第２発光ダイオードランプ直列装置（３２）の抵抗により決定され、且つ該第１コンデンサ（３１２）はスーパーコンデンサ或いは充電電池に交換可能である。
【００１９】
ＲＣ回路充放電原理からわかるように、放電された電流値は指数型放電を現出し、電流値の大きさは時間と共に異なり、このため、光線の放電時間内の明から暗への変化が激烈となる。これにより、電流値の違いの問題を解決するため、さらに図２Ａから図２Ｄに示される第２実施例が提供される。
【００２０】
図２Ａは本発明の第２実施例の構造配置表示図であり、図２Ｂから図２Ｄはそれぞれ本発明の第２実施例の回路表示図一から三である。第２実施例は、第１実施例と比較すると、その特徴は、該第２発光ダイオードランプ直列回路（３０）がさらに該充放電ユニット（３１）と電気的に接続された電圧安定化ユニット（３３）を包含することにある。図２Ｂに示されるように、該電圧安定化ユニット（３３）は、第２抵抗器（３３１）、第１トランジスタ（３３２）、第２トランジスタ（３３３）及び第３抵抗器（３３４）を包含する。
【００２１】
該第２抵抗器（３３１）の一端は該充放電ユニット（３１）に接続され、他端は該第１トランジスタ（３３２）のベースに接続され、該第１トランジスタ（３３２）はコレクタが該第２発光ダイオードランプ直列装置（３２）に接続され、該第２トランジスタ（３３３）はコレクタが該第１トランジスタ（３３２）のベースに接続され、且つベースが該第１トランジスタ（３３２）のエミッタに接続され、該第３抵抗器（３３４）の一端は該第２トランジスタ（３３３）のベースに接続され、他端は該第２トランジスタ（３３３）のエミッタに接続され並びに接地する。
【００２２】
こうして、使用者が商用電源を切断した後、該第１発光ダイオードランプ直列装置（２０）は消灯する。この時、該第１コンデンサ（３１２）は該第１抵抗器（３１４）と該第２発光ダイオードランプ直列装置（３２）に対して放電し、該第２発光ダイオードランプ直列装置（３２）を点灯させる。該第１トランジスタ（３３２）のベースとエミッタは該第３抵抗器（３３４）に接続されるため、該第１トランジスタ（３３２）のベースとエミッタの電圧は固定電圧値となる。これにより、該第３抵抗器（３３４）を流れる電流は固定値となる。
【００２３】
これにより、第１トランジスタ（３３２）のエミッタ電流は固定値となり、すなわち、該第２発光ダイオードランプ直列装置（３２）の電流が固定され、発光強度も固定される。これが該第２照明状態とされ、数秒から数時間維持され、該第１コンデンサ（３１２）の放電電圧が、該第２発光ダイオードランプ直列装置（３２）の順方向バイアス電圧より低くなり、放電の電流値が指数型放電を現出して、放電が終了するまで続く。
【００２４】
また、図２Ｃでは、該電圧安定化ユニット（３３）は第２抵抗器（３３１）、第１トランジスタ（３３２）、第２ダイオード（３３５）、第３ダイオード（３３６）及び第３抵抗器（３３４）を包含する。
【００２５】
該第２抵抗器（３３１）の一端は該充放電ユニット（３１）に接続され、他端は該第１トランジスタ（３３２）のベースに接続される。該第１トランジスタ（３３２）はコレクタで該第２発光ダイオードランプ直列装置（３２）に接続される。該第２ダイオード（３３５）はアノードで該第１トランジスタ（３３２）のベースに接続される。該第３ダイオード（３３６）はアノードで該第２ダイオード（３３５）のカソードに接続される。該第３抵抗器（３３４）の一端は該第１トランジスタ（３３２）のエミッタに接続され、他端は該第３ダイオード（３３６）のカソードに接続され並びに接地する。
【００２６】
その動作原理は以下のとおりである。仮に該第２ダイオード（３３５）の順方向バイアス電圧が該第１トランジスタ（３３２）のベースとエミッタ順方向バイアス電圧と同じであるとすると、該第２ダイオード（３３５）と該第１トランジスタ（３３２）のベースとエミッタ順方向バイアス電圧と相殺し、該第３ダイオード（３３６）の順方向バイアス電圧は等価で並びに該第３抵抗器（３３４）に接続する。
【００２７】
これにより、該第３抵抗器（３３４）を流れる電流は固定値となり、このため該第１トランジスタ（３３２）のコレクタ電流は固定値となり、すなわち、該第２発光ダイオードランプ直列装置（３２）の電流が固定され、発光強度も固定される。このときが該第２照明状態とされ、時間は数秒から数時間維持され、該第１コンデンサ（３１２）の放電電圧が該第２発光ダイオードランプ直列装置（３２）の順方向バイアス電圧より低くなり、放電の電流値が指数型放電を現出し、放電が終了するまでである。
【００２８】
また、図２Ｄにおいては、該電圧安定化ユニット（３３）は第２抵抗器（３３１）、第１トランジスタ（３３２）、第２ツェナダイオード（３３７）及び第３抵抗器（３３４）を包含する。
【００２９】
該第２抵抗器（３３１）の一端は該充放電ユニット（３１）に接続され、他端は該第１トランジスタ（３３２）のベースに接続される。該第１トランジスタ（３３２）はコレクタで該第２発光ダイオードランプ直列装置（３２）に接続される。該第２ツェナダイオード（３３７）はカソードで、該第１トランジスタ（３３２）のベースに接続される。該第３抵抗器（３３４）の一端は該第１トランジスタ（３３２）のエミッタに接続され、他端は該第２ツェナダイオード（３３７）のアノードに接続され並びに接地する。
【００３０】
その動作原理は以下のとおりである。該第２ツェナダイオード（３３７）の逆方向バイアス電圧と該第１トランジスタ（３３２）のベースとエミッタ順方向バイアス電圧は固定電圧値とされ、該第２ツェナダイオード（３３７）の逆方向バイアス電圧より該第１トランジスタ（３３２）のベースとエミッタ順方向バイアス電圧を減じて、残った逆方向バイアス電圧は等価で並びに該第３抵抗器（３３４）に接続される。
【００３１】
これにより、該第３抵抗器（３３４）を流れる電流は固定値となり、これにより該第１トランジスタ（３３２）のコレクタ電流は固定値となり、該第２発光ダイオードランプ直列装置（３２）の電流は固定され、発光強度も固定される。この時が該第２照明状態とされ、時間は数秒から数時間維持され、該第１コンデンサ（３１２）の放電電圧が該第２発光ダイオードランプ直列装置（３２）の順方向バイアス電圧より低くなり、放電の電流値が指数型放電を現出し、放電が終了するまでで続く。
【００３２】
さらに、該第１発光ダイオードランプ直列装置（２０）と該第２発光ダイオードランプ直列装置（３２）の波長、色温度、色の違いにより、もし同時に点灯すると、もとの灯光特性に影響を与え得ることを考慮し、さらに該第１発光ダイオードランプ直列装置（２０）の点灯時に、該第２発光ダイオードランプ直列装置（３２）は消灯し、該第１発光ダイオードランプ直列装置（２０）が消灯しなければ、該第２発光ダイオードランプ直列装置（３２）が点灯しないように設計を行う。図３Ａから図３Ｄを参照されたい。図３Ａは本発明の第３実施例の構造配置表示図である。図３Ｂから図３Ｄはそれぞれ本発明の第３実施例の回路表示図一から三である。
【００３３】
第３実施例は、第２実施例と比較すると、その特徴は、該第２発光ダイオードランプ直列回路（３０）がさらに該パワー切換え器（１０）と電気的に接続された分圧ユニット（３４）を包含する。該分圧ユニット（３４）は並びに該電圧安定化ユニット（３３）に電気的に接続され、該分圧ユニット（３４）はここでは、第３ツェナダイオード（３４１）、第４抵抗器（３４２）、第３トランジスタ（３４３）及び第５抵抗器（３４４）を包含する。
【００３４】
図３Ｂから図３Ｄ中、該第３ツェナダイオード（３４１）はカソードで該パワー切換え器（１０）に接続され、該第４抵抗器（３４２）の一端は該第３ツェナダイオード（３４１）のアノードに接続され、他端は該第３トランジスタ（３４３）のベースに接続される。該第３トランジスタ（３４３）のコレクタは該第１トランジスタ（３３２）のベースに接続される。該第５抵抗器（３４４）の一端は該第３トランジスタ（３４３）のベースに接続され、他端は該第３トランジスタ（３４３）のエミッタに接続され並びに接地する。
【００３５】
これにより、該第１発光ダイオードランプ直列装置（２０）が点灯する時、該第４抵抗器（３４２）と該第５抵抗器（３４４）が分圧し、これにより第３トランジスタ（３４３）が導通状態で動作し、これにより該第１トランジスタ（３３２）のベースが接地端に接続され、該第１トランジスタ（３３２）は切断状態となり、該第２発光ダイオードランプ直列装置（３２）には電流が流入せず発光せず、該第１発光ダイオードランプ直列装置（２０）の灯光特性に影響を与えず、また、該第１コンデンサ（３１２）は一定時間に電荷が充満され、電源スイッチが切断されるか或いは電力システムが停電する時、該第４抵抗器（３４２）と該第５抵抗器（３４４）は電圧降下がなく、該第３トランジスタ（３４３）が切断状態となり、該第１トランジスタ（３３２）のベースがそれ以上接地端に接続されず、該第１トランジスタ（３３２）が導通状態となり、その後の動作原理はそれぞれ第２実施例中の、図２Ｂから図２Ｄの説明に対応する。
【００３６】
さらに説明の補充が必要であることとして、上述の実施例中、第１トランジスタ（３３２）、第２トランジスタ（３３３）及び第３トランジスタ（３４３）で構成される回路は、ここではＮＰＮトランジスタを例として説明しているが、これに限定されるわけではなく、ＰＮＰトランジスタ或いはＭＯＳＦＥＴのパワースイッチ素子で形成された等価回路に置換可能である。
【００３７】
さらに、該第２発光ダイオードランプ直列回路（３０）はさらに、変圧器のコイルで直流電圧源を供給するように変更され得る。図４を参照されたい。図４は本発明の第４実施例の構造配置表示図である。図４の実施例では、第１実施例と比較すると、該第２発光ダイオードランプ直列回路（３０）がさらに変圧ユニット（３５）を包含し、該充放電ユニット（３１）は該変圧ユニット（３５）を介して該パワー切換え器（１０）に電気的に接続される。該変圧ユニット（３５）は変圧器の二次側コイルとされ、上述の第１実施例或いは第２実施例中の該第１ダイオード（３１１）のアノードに接続され、該第１ダイオード（３１１）は該変圧ユニット（３５）により該パワー切換え器（１０）に接続され、該変圧ユニット（３５）により直接電圧源を提供する。
【００３８】
このほか、該第２発光ダイオードランプ直列回路（３０）はさらに直流電圧の回路を包含して直流電圧源を提供するように変更可能である。図５を参照されたい。図５は本発明の第５実施例の構造配置表示図である。第５実施例において、第１実施例と比較すると、該照明装置はさらに、該パワー切換え器（１０）に電気的に接続された直流電力供給ユニット（４０）を包含する。該直流電力供給ユニット（４０）は該第２発光ダイオードランプ直列回路（３０）に並列接続され、該直流電力供給ユニット（４０）は電圧安定化のコンデンサとされ得て、該コンデンサより直接電圧源を提供し、該直流電力供給ユニット（４０）は同様に、第２実施例中に応用可能である。
【００３９】
最後に説明を補充すべきこととして、上述の該パワー切換え器（１０）、該第１発光ダイオードランプ直列装置（２０）、該第２発光ダイオードランプ直列回路（３０）、及び該直流電力供給ユニット（４０）はいずれも同一基板上に設置され、並びにランプカバーで被覆された後に、該照明装置を形成する。これにより、該照明装置はバルブ、灯管、嵌め込み式ランプ、ブランケット式ランプ、緊急照明ランプ、ナイトランプ等、各種照明器具に応用できる。
【００４０】
総合すると、本発明は該パワー切換え器が給電状態を給電停止状態に切り換える時、該第１照明状態より該第２照明状態に転じることができ、該第１発光ダイオードランプ直列装置が数秒から数時間の光線を提供し、遅延消灯効果を発生し、空間輪郭を照明し、使用者が正確な方向を判断し、もとの空間を離れるのに便利であり、照明器具の使用の安全性を高める長所を有する。
【００４１】
さらに、本発明は該第２照明状態で該第１照明状態とは異なる光色を発生し、使用者が容易に該第１照明状態と該第２照明状態との間の変換を識別でき、該パワー切換え器の切断後に、安心してもとの空間を離れることができ、使用者が該第１照明状態と該第２照明状態の間の切換えがないと誤認するのを防止できる。
【００４２】
最後に、本発明はさらに、構造が簡単で、製造コストが低く、発光ダイオード定電流回路の要求に符合する。
【００４３】
以上により、本発明は進歩性を有し、特許の要件に符合し、ここに特許出願をいたす次第です。
【００４４】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４５】
１０  パワー切換え器
２０  第１発光ダイオードランプ直列装置
３０  第２発光ダイオードランプ直列回路
３１  充放電ユニット
３２  第２発光ダイオードランプ直列装置
３１１  第１ダイオード
３１２  第１コンデンサ
３１３  第１ツェナダイオード
３１４  第１抵抗器
３３  電圧安定化ユニット
３３１  第２抵抗器
３３２  第１トランジスタ
３３３  第２トランジスタ
３３４  第３抵抗器
３３５  第２ダイオード
３３６  第３ダイオード
３３７  第２ツェナダイオード
３４  分圧ユニット
３４１  第３ツェナダイオード
３４２  第４抵抗器
３４３  第３トランジスタ
３４４  第５抵抗器
３５  変圧ユニット
４０  直流電力供給ユニット
【図１Ａ】
2013187188.tif 000003
【図１Ｂ】
2013187188.tif 000004
【図２Ａ】
2013187188.tif 000005
【図２Ｂ】
2013187188.tif 000006
【図２Ｃ】
2013187188.tif 000007
【図２Ｄ】
2013187188.tif 000008
【図３Ａ】
2013187188.tif 000009
【図３Ｂ】
2013187188.tif 000010
【図３Ｃ】
2013187188.tif 000011
【図３Ｄ】
2013187188.tif 000012
【図４】
2013187188.tif 000013
【図５】
2013187188.tif 000014